(57)【要約】【課題】雄コネクタと雌コネクタとの相対的位置ずれが生じた場合にも、電気的接続を確保可能な技術を提供する。【解決手段】雄コネクタは、平板状に形成された、導電性を有する雄端子と、相手方の雌コネクタと接続する場合に雌コネクタと接触する雄側接触面と、雄側接触面に雄端子の幅より長く開口して形成されたスリットであって、雄端子が配置される雄側スリットと、を有する雄側筐体と、雄側筐体の内部に配置され、雄端子が雄側スリットに沿って移動可能に、雄端子を挟持する、導電性を有する挟持部と、を備える。【選択図】図１
2020072034.tif 000002
【特許請求の範囲】
【請求項１】
雄コネクタであって、
平板状に形成された、導電性を有する雄端子と、
相手方の雌コネクタと接続する場合に前記雌コネクタと接触する雄側接触面と、前記雄側接触面に前記雄端子の幅より長く開口して形成されたスリットであって、前記雄端子が配置される雄側スリットと、を有する雄側筐体と、
前記雄側筐体の内部に配置され、前記雄端子が前記雄側スリットに沿って移動可能に、前記雄端子を挟持する、導電性を有する挟持部と、
を備える、雄コネクタ。
【請求項２】
請求項１に記載の雄コネクタであって、
前記挟持部は、前記雄端子の幅と同等以上の幅を有する平板ばねから成り、
前記雄端子は、平面形状が略長方形または楕円形である、
雄コネクタ。
【請求項３】
請求項１に記載の雄コネクタであって、
前記挟持部は、前記雄端子の幅と同等以上の幅を有し、複数の板ばねが間隔を空けて並んで構成されており、
前記雄端子は、平面形状が略長方形であり、側面が尖鋭に形成されている、
雄コネクタ。
【請求項４】
請求項１から請求項３のいずれか一項に記載の雄コネクタであって、
さらに、
前記雄側筐体の前記雄側接触面の前記雄側スリットの外周に環状に形成され、前記雌コネクタと接続した際に前記雌コネクタとの隙間を封止する封止部を、備える、雄コネクタ。
【請求項５】
請求項４に記載の雄コネクタであって、
前記封止部は、ポリウレタンゲルで形成されている、雄コネクタ。
【請求項６】
請求項１から請求項５のいずれか一項に記載の雄コネクタと、雌コネクタと、を備えるコネクタ装置であって、
前記雌コネクタは、
前記雄コネクタと接続する場合に前記雄コネクタの前記雄側筐体の前記雄側接触面に接触する雌側接触面と、前記雌側接触面に前記雄端子の幅と同等以上に開口して形成されたスリットであって、前記雄コネクタの前記雄端子が挿入される雌側スリットと、を有する雌側筐体と、
前記雌側筐体内に配置される雌端子と、を備える、コネクタ装置。
【請求項７】
請求項６に記載のコネクタ装置であって、
前記雌コネクタは、
さらに、
前記雌側筐体の前記雌側接触面の前記雌側スリットの外周に環状に形成され、前記雄コネクタと接続した際に前記雄コネクタとの隙間を封止する雌側封止部を、備える、コネクタ装置。
【請求項８】
雄コネクタと、雌コネクタと、を備えるコネクタ装置であって、
前記雄コネクタは、
前記雌コネクタと接続する場合に前記雌コネクタと接触する雄側接触面を有する、雄側筐体と、
平板状に形成された、導電性を有する雄端子であって、前記雄側筐体の前記雄側接触面から突出して、前記雄側筐体に固定されている雄端子と、を備え、
前記雌コネクタは、
前記雄コネクタと接続する場合に前記雄コネクタの前記雄側筐体の前記雄側接触面に接触する雌側接触面と、前記雌側接触面に前記雄端子の幅より長く開口して形成されたスリットであって、前記雄コネクタの前記雄端子が挿入される雌側スリットと、を有する雌側筐体と、
前記雌側筐体内に配置される雌端子と、を備える、コネクタ装置。
【請求項９】
請求項８に記載のコネクタ装置であって、
前記雄コネクタと前記雌コネクタの少なくともいずれか一方は、
さらに、
前記雄コネクタと前記雌コネクタとを接続した際に、前記雄コネクタと前記雌コネクタとの隙間を封止する封止部を、
備える、コネクタ装置。
【発明の詳細な説明】
【技術分野】
【０００１】
本発明は、コネクタに関する。
【背景技術】
【０００２】
従来、雄コネクタと雌コネクタとを接続する際に、各コネクタの製造誤差等により雄端子と雌端子の互いの位置が相対的にずれるという問題があった。これに対し、例えば、特許文献１には、雄コネクタと雌コネクタとの相対位置のずれによる外力を吸収する技術が開示されている。また、特許文献２には、雄コネクタと雌コネクタとの嵌合部に弾性を有する部材を配置して、雄端子と雌端子の互いの位置ずれを吸収する技術が開示されている。また、特許文献３には、表面実装コネクタの半田付け位置のずれを吸収する技術が開示されている。
【先行技術文献】
【特許文献】
【０００３】
【特許文献１】特開平８−１７５２６号公報
【特許文献２】特開２０００−３５３５６９号公報
【特許文献３】特開２０００−４８９０４号公報
【発明の概要】
【発明が解決しようとする課題】
【０００４】
しかしながら、雄コネクタと雌コネクタとの相対的位置ずれに対応する技術については、なお、改善の余地があった。
【０００５】
本発明は、上述した課題を解決するためになされたものであり、雄コネクタと雌コネクタとの相対的位置ずれが生じた場合にも、電気的接続を確保可能な技術を提供することを目的とする。
【課題を解決するための手段】
【０００６】
本発明は、上述の課題の少なくとも一部を解決するためになされたものであり、以下の形態として実現することが可能である。
【０００７】
（１）本発明の一形態によれば、雄コネクタが提供される。この雄コネクタは、平板状に形成された、導電性を有する雄端子と、相手方の雌コネクタと接続する場合に前記雌コネクタと接触する雄側接触面と、前記雄側接触面に前記雄端子の幅より長く開口して形成されたスリットであって、前記雄端子が配置される雄側スリットと、を有する雄側筐体と、前記雄側筐体の内部に配置され、前記雄端子が前記雄側スリットに沿って移動可能に、前記雄端子を挟持する、導電性を有する挟持部と、を備える。
【０００８】
この構成によれば、導電性を有する挟持部が、雄端子を雄側スリットに沿って移動可能に、雄端子を挟持しているため、雄端子を雄側スリットに沿って移動させることができる。そのため、雄コネクタと雌コネクタとを接続した際の電気的接点の位置を、移動させることができる。雄コネクタと相手方の雌コネクタとの相対的位置がずれていたとしても、雄端子が雄側スリットに沿って移動するため、相手方の雌コネクタの雌端子と電気的に接続することができる。
【０００９】
（２）上記形態の雄コネクタであって、前記挟持部は、前記雄端子と同等以上の幅を有する平板ばねから成り、前記雄端子は、平面形状が略長方形または楕円形でもよい。ここで、略長方形は、長方形、角を丸み面とりした長方形、角を４５°面取りした長方形、小判型を含む。このようにすると、雄端子を、雄側スリットに沿って滑らかに移動させることができる。
【００１０】
（３）上記形態の雄コネクタであって、前記挟持部は、前記雄端子と同等以上の幅を有し、複数の板ばねが間隔を空けて並んで構成されており、前記雄端子は、平面形状が略長方形であり、側面が尖鋭に形成されていてもよい。このようにすると、電気的接点を効率よく確保することができ、雄端子の移動がさらに滑らかになる。
【００１１】
（４）上記形態の雄コネクタであって、さらに、前記雄側筐体の前記雄側接触面の前記雄側スリットの外周に環状に形成され、前記雌コネクタと接続した際に前記雌コネクタとの隙間を封止する封止部を、備えてもよい。このようにすると、防水性を向上させることができる。
【００１２】
（５）上記形態の雄コネクタであって、前記封止部は、ポリウレタンゲルで形成されてもよい。このようにすると、さらに防水性を向上させることができる。
【００１３】
（６）上記形態の雄コネクタと、雌コネクタと、を備えるコネクタ装置であって、前記雌コネクタは、前記雄コネクタと接続する場合に前記雄コネクタの前記雄側筐体の前記雄側接触面に接触する雌側接触面と、前記雌側接触面に前記雄端子の幅より長く開口して形成されたスリットであって、前記雄コネクタの前記雄端子が挿入される雌側スリットと、を有する雌側筐体と、前記雌側筐体内に配置される雌端子であって、自身の幅が、前記雄端子の幅より広い、雌端子と、を備える。この構成によれば、雌側コネクタの雌側スリットおよび雌端子の幅が、雄端子の幅より広いため、電気的接続を確保するために許容される、雄コネクタと雌コネクタとの相対的位置のずれをさらに大きくすることができる。
【００１４】
（７）本発明の他の形態によれば、雄コネクタと、雌コネクタと、を備えるコネクタ装置が提供される。このコネクタ装置において、前記雄コネクタは、前記雌コネクタと接続する場合に前記雌コネクタと接触する雄側接触面を有する、雄側筐体と、平板状に形成された、導電性を有する雄端子であって、前記雄側筐体の前記雄側接触面から突出して、前記雄側筐体に固定されている雄端子と、を備え、前記雌コネクタは、前記雄コネクタと接続する場合に前記雄コネクタの前記雄側筐体の前記雄側接触面に接触する雌側接触面と、前記雌側接触面に前記雄端子の幅より長く開口して形成されたスリットであって、前記雄コネクタの前記雄端子が挿入される雌側スリットと、を有する雌側筐体と、前記雌側筐体内に配置される雌端子であって、自身の幅が、前記雄端子の幅より広い雌端子と、を備える。
【００１５】
この構成によれば、雌コネクタの雌側スリットおよび雌端子の幅が、雄端子の幅より広いため、雄端子が雄コネクタにおいて移動しなくても、雌側スリットに沿って移動することができる。そのため、雄コネクタと雌コネクタとの相対的位置のずれが生じても、電気的接続を確保することができる。
【００１６】
なお、本発明は、種々の態様で実現することが可能であり、例えば、雄コネクタを備える装置などの形態で実現することができる。
【図面の簡単な説明】
【００１７】
【図１】第１実施形態における雄コネクタの概略構成を示す説明図である。
【図２】雄コネクタの断面構成を概略的に示す説明図である。
【図３】雄コネクタの断面構成を概略的に示す説明図である。
【図４】コネクタ装置の断面構成を概略的に示す説明図である。
【図５】コネクタ装置の断面構成を概略的に示す説明図である。
【図６】雄コネクタと雌コネクタの接続状態の例を示す説明図である。
【図７】第２実施形態における雄コネクタの概略構成を示す説明図である。
【図８】第３実施形態の雄端子の概略構成を示す説明図である。
【図９】第４実施形態のコネクタ装置の断面構成を概略的に示す説明図である。
【図１０】雄コネクタと雌コネクタの接続状態の例を示す説明図である。
【発明を実施するための形態】
【００１８】
＜第１実施形態＞
図１は、第１実施形態における雄コネクタ１３０の概略構成を示す説明図である。雄コネクタ１３０は、雄端子１３２と、雄側筐体１３４と、挟持部１３７と、封止部１３８と、を備える。雄端子１３２は、平面形状が角丸長方形（丸み面取りした長方形）の平板状に形成されており、導電性を有する。本実施形態では、銅板を用いている。
【００１９】
雄側筐体１３４は、相手方の雌コネクタ（後述する）と接続する場合に雌コネクタと接触する雄側接触面１３４Ｆと、雄側接触面１３４Ｆに開口して形成された雄側スリット１３４Ｓと、を有する。雄側スリット１３４Ｓは、開口の長さＨ２が、雄端子１３２の幅Ｈ１より長い。雄側スリット１３４Ｓの一方の端部を、第１端１３３Ｓと呼び、他方の端部を第２端１３５Ｓと呼ぶ。
【００２０】
挟持部１３７は、雄側筐体１３４の内部に配置され、雄端子１３２が雄側スリット１３４Ｓに沿って移動可能に、雄端子１３２を挟持する。挟持部１３７は、複数の板ばね１３６が、雄側スリット１３４Ｓに沿って間隔を空けて並んで構成されており、挟持部１３７の幅Ｈ３は、雄端子１３２の幅Ｈ１より広い。本実施形態において、挟持部１３７は、雄端子１３２と同様に、銅で形成されている。雄端子１３２および挟持部１３７の形成材料としては、その他、銀等の導電性が大きい金属等を用いることができる。
【００２１】
封止部１３８は、雄側筐体１３４の雄側接触面１３４Ｆの雄側スリット１３４Ｓの外周に環状に形成される。本実施形態において、封止部１３８は、ポリウレタンゲルで形成され、雄コネクタ１３０が雌コネクタと接続された際に、雄コネクタ１３０と雌コネクタとの隙間を封止する。封止部１３８としては、Ｏリングや、その他のゲル材料等の密着性を有する材料や、シリコーンゴム等の弾性材料を用いることができる。封止部１３８としてポリウレタンゲルを用いると、密着性が高いため、好ましい。
【００２２】
図２は、雄コネクタ１３０の断面構成を概略的に示す説明図である。図２では、雄端子１３２を通り、雄端子１３２に平行な切断面を示す。図３は、雄コネクタ１３０の断面構成を概略的に示す説明図である。図３では、雄端子１３２を通り、雄端子１３２に直交する切断面を示す。雄端子１３２は、板ばね１３６に挟持されており（図３）、雄側スリット１３４Ｓに沿って移動可能である（図２に移動方向を矢印で示す）。
【００２３】
図４は、雄コネクタ１３０と、雌コネクタ１４０と、を備えるコネクタ装置１５０の断面構成を概略的に示す説明図である。図４では、図２と同様に、雄端子１３２を通り、雄端子１３２に平行な切断面を示す。図４は、雄コネクタ１３０と雌コネクタ１４０とが、相対的な位置ずれなく、接続されている様子を示している。図５は、雄コネクタ１３０と、雌コネクタ１４０と、を備えるコネクタ装置１５０の断面構成を概略的に示す説明図である。図５では、図３と同様に、雄端子１３２を通り、雄端子１３２に直交する切断面を示す。雌コネクタ１４０は、雌側筐体１４４と、雌端子１４７と、を備える（図５）。雌側筐体１４４は、雄コネクタ１３０と接続する場合に雄コネクタ１３０と接触する雌側接触面１４４Ｆと、雌側接触面１４４Ｆに開口して形成された雌側スリット１４４Ｓと、を有する（図４）。雌側スリット１４４Ｓの幅は、雄コネクタ１３０の雄側スリット１３４Ｓの幅Ｈ２と同一である。雌側スリット１４４Ｓの一方の端部を、第１端１４３Ｓと呼び、他方の端部を第２端１４５Ｓと呼ぶ。雌端子１４７は、複数の板ばね１４６が、雌側スリット１４４Ｓに沿って間隔を空けて並んで構成されている。雌コネクタ１４０の雌端子１４７は、雄コネクタ１３０の挟持部１３７と同様の構成を有し、その幅は、雄コネクタ１３０の挟持部１３７の幅Ｈ３と同一である。雄コネクタ１３０の雄端子１３２を、雌コネクタ１４０の雌側スリット１４４Ｓに挿入して雄コネクタ１３０と雌コネクタ１４０とを接続すると、雄端子１３２が雌端子１４７に挟持され（図５）、電気的接続が確立される。本実施形態では、部品種低減のために、雄コネクタ１３０と雌コネクタ１４０に同一の部品を用いたため、両者の筐体の幅、およびスリットの幅は同一であるが、異なる幅で構成してもよい。
【００２４】
雄コネクタ１３０と雌コネクタ１４０とを接続すると、雄コネクタ１３０の雄側接触面１３４Ｆと、雌コネクタ１４０の雌側接触面１４４Ｆが接触する。雄コネクタ１３０は、雄側スリット１３４Ｓの外周に封止部１３８を有する。封止部１３８は、密着性が高いポリウレタンゲルによって形成されるため、雄コネクタ１３０と雌コネクタ１４０との隙間を封止することができる。そのため、雄側スリット１３４Ｓおよび雌側スリット１４４Ｓ内に水が浸入することを抑制することができる。例えば、コネクタ装置１５０を屋外で使用した場合に、雨水、埃等が雄側スリット１３４Ｓおよび雌側スリット１４４Ｓ内に進入することを抑制することができ、雄端子１３２、挟持部１３７、および雌端子１４７の腐食を抑制することができる。
【００２５】
図６は、雄コネクタ１３０と雌コネクタ１４０の接続状態の例を示す説明図である。図６は、図４と同様の概略断面図を示す。図６（Ａ）では、雌コネクタ１４０が雄コネクタ１３０に対して、最も紙面右側にずれて接続された状態を示している。このとき、雄コネクタ１３０の雄端子１３２は、雄側スリット１３４Ｓに沿って、紙面右側に移動し（図中、移動方向を矢印で示す）、雄側スリット１３４Ｓの第２端１３５Ｓに接触している。一方、雌コネクタ１４０の雌側スリット１４４Ｓの第１端１４３Ｓが、雄端子１３２に接触している。雌コネクタ１４０は、雄コネクタ１３０に対して、紙面右側に距離Ｌ１だけ突出した状態で接続されている。
【００２６】
図６（Ｂ）では、雌コネクタ１４０が雄コネクタ１３０に対して、最も紙面左側にずれて接続された状態を示している。このとき、雄コネクタ１３０の雄端子１３２は、雄側スリット１３４Ｓに沿って、紙面左側に移動し（図中、移動方向を矢印で示す）、雄側スリット１３４Ｓの第１端１３３Ｓに接触している。一方、雌コネクタ１４０の雌側スリット１４４Ｓの第２端１４５Ｓが、雄端子１３２に接触している。雌コネクタ１４０は、雄コネクタ１３０に対して、紙面左側に距離Ｌ２だけ突出した状態で接続されている。このように、コネクタ装置１５０は、雄コネクタ１３０に対して距離Ｌ１＋距離Ｌ２の相対的なずれを、許容している。コネクタ装置１５０において、雄コネクタ１３０に対する雌コネクタ１４０の相対的位置を、距離Ｌ１＋距離Ｌ２の範囲で変更可能である。
【００２７】
また、封止部１３８は、雌コネクタ１４０が雄コネクタ１３０に対して最も紙面右側にずれて接続された場合も（図６（Ａ））、最も紙面左側にずれて接続された場合も（図６（Ｂ））、雄コネクタ１３０と雌コネクタ１４０との間に配置されている。
【００２８】
以上説明したように、本実施形態の雄コネクタ１３０によれば、導電性を有する挟持部１３７が、雄端子１３２を雄側スリット１３４Ｓに沿って移動可能に、雄端子１３２を挟持しているため、雄端子１３２を雄側スリット１３４Ｓに沿って移動させることができる。そのため、雄コネクタ１３０と雌コネクタ１４０とを接続した際の電気的接点の位置を、移動させることができる。そのため、雄コネクタ１３０と雌コネクタ１４０とを、相対的にずらした位置で接続することができる。すなわち、雄コネクタ１３０と雌コネクタ１４０との相対的位置がずれていたとしても、雄端子１３２が雄側スリット１３４Ｓに沿って移動するため、雌コネクタ１４０の雌端子１４７と電気的に接続することができる。
【００２９】
また、雄コネクタ１３０の雄端子１３２を、雌コネクタ１４０の雌側スリット１４４Ｓに挿入した状態で、雄コネクタ１３０と雌コネクタ１４０とをスライドさせて、互いのコネクタを、所望の位置に配置することができる。そのため、雄コネクタ１３０と雌コネクタ１４０との接続の操作性を向上させることができる。その結果、コネクタの接続に要する時間を短縮することができる。
【００３０】
また、本実施形態のコネクタ装置１５０によれば、雄コネクタ１３０の雄端子１３２が雄側筐体１３４の雄側スリット１３４Ｓに沿って移動可能に構成されるとともに、雌コネクタ１４０が、雄端子１３２の幅より長い雌側スリット１４４Ｓと、自身の幅が、雄端子１３２の幅より長い雌端子１４７を備えるため、電気的接続を確保するために許容される、雄コネクタと雌コネクタとの相対的位置のずれを大きくすることができる。
【００３１】
また、本実施形態の雄コネクタ１３０によれば、ポリウレタンゲルで形成された封止部１３８を備えるため、雌コネクタと接続した際の防水性を向上させることができる。図６に示すように、封止部１３８は、雌コネクタ１４０が雄コネクタ１３０に対して最も紙面右側にずれて接続された場合も（図６（Ａ））、最も紙面左側にずれて接続された場合も（図６（Ｂ））、雄コネクタ１３０と雌コネクタ１４０との間に配置されている。そのため、雄コネクタ１３０を屋外で使用した際に、雄コネクタ１３０と雌コネクタ１４０との相対的位置が変更されても、雄側スリット１３４Ｓおよび雌側スリット１４４Ｓへの雨水等の侵入を抑制することが可能となり、雄端子１３２、挟持部１３７の腐食を抑制することができる。
【００３２】
本実施形態の雄コネクタ１３０では、挟持部１３７は、複数の板ばね１３６を間隔を空けて並べて構成されている。そのため、雄端子１３２と挟持部１３７との電気的接点の確保における確実性を向上させることができる。
【００３３】
＜第２実施形態＞
図７は、第２実施形態における雄コネクタ１３０Ａの概略構成を示す説明図である。本実施形態の雄コネクタ１３０Ａが第１実施形態の雄コネクタ１３０と異なる点は、挟持部１３７Ａの構成のみであるため、挟持部１３７Ａについて、以下に説明する。
【００３４】
本実施形態において、挟持部１３７Ａは、雄端子１３２の幅より幅が広い一枚板の平板ばねから成る。このようにしても、上記実施形態と同様の効果を得ることができる。また、雄端子１３２を雄側スリット１３４Ｓに沿って、より滑らかに移動させることができる。
【００３５】
＜第３実施形態＞
図８は、第３実施形態の雄端子１３２Ａの概略構成を示す説明図である。図８（Ａ）は平面形状を示し、図８（Ｂ）は、（Ａ）におけるＡ−Ａ切断面を示す。雄端子１３２Ａは、平面形状が長方形であって、側面が尖鋭に形成されている。第１実施形態の雄コネクタ１３０において、雄端子１３２に替えて雄端子１３２Ａを用いた場合に、図８に矢印で示す方向に、雄側スリット１３４Ｓに沿って雄端子１３２Ａを移動させると、挟持部１３７の各板ばね１３６へのひっかかりが抑制され、滑らかに移動させることができる。
【００３６】
＜第４実施形態＞
図９は、第４実施形態のコネクタ装置１５０Ｂの断面構成を概略的に示す説明図である。第４実施形態のコネクタ装置１５０Ｂは、雄コネクタ１３０Ｂの構成が第１実施形態の雄コネクタ１３０と異なるものの、雌コネクタ１４０は、第１実施形態と同様である。以下の説明において、第１実施形態と同一の構成には、同一の符号を付して、先行する説明を参照する。図９では、図２と同様に、雄端子１３２を通り、雄端子１３２に平行な切断面を示す。図９は、雄コネクタ１３０Ｂと雌コネクタ１４０とが、相対的な位置ずれなく、接続されている様子を示している。本実施形態の雄コネクタ１３０Ｂの雄端子１３２は雄側筐体１３４Ｂに固定されている。換言すると、雄コネクタ１３０Ｂが挟持部を有さず、雄側筐体１３４Ｂが雄側スリットを有さず、雄端子１３２が雄側筐体１３４Ｂに固定されている。一方、雌コネクタ１４０は、第１実施形態と同様に、雌側スリット１４４Ｓを有するため、雄コネクタ１３０Ｂと雌コネクタ１４０とを接続する際に、雄端子１３２が雌コネクタ１４０の雌側スリット１４４Ｓに沿って移動することができる。そのため、本実施形態のコネクタ装置１５０Ｂによっても、雄コネクタ１３０Ｂと雌コネクタ１４０との相対位置を、変更することができる。すなわち、コネクタ装置１５０Ｂにおいて、電気的接点の位置を変更することができる。
【００３７】
図１０は、雄コネクタ１３０Ｂと雌コネクタ１４０の接続状態の例を示す説明図である。図１０は、図６と同様の概略断面図を示す。図１０（Ａ）では、雌コネクタ１４０が雄コネクタ１３０Ｂに対して、最も紙面右側にずれて接続された状態を示している。このとき、雌コネクタ１４０は、紙面右側に移動し（図中、移動方向を矢印で示す）、雌側スリット１４４Ｓの第１端１４３Ｓが、雄端子１３２に接触している。雌コネクタ１４０は、雄コネクタ１３０に対して、紙面右側に距離Ｌ３だけ突出した状態で接続されている。
【００３８】
図１０（Ｂ）では、雌コネクタ１４０が雄コネクタ１３０Ｂに対して、最も紙面左側にずれて接続された状態を示している。このとき、雌コネクタ１４０は、紙面左側に移動し（図中、移動方向を矢印で示す）雌側スリット１４４Ｓの第２端１４５Ｓが、雄端子１３２に接触している。雌コネクタ１４０は、雄コネクタ１３０に対して、紙面左側に距離Ｌ４だけ突出した状態で接続されている。このように、コネクタ装置１５０Ｂは、雄コネクタ１３０に対して距離Ｌ３＋距離Ｌ４の相対的なずれを、許容している。コネクタ装置１５０Ｂにおいて、雄コネクタ１３０Ｂに対する雌コネクタ１４０の相対的位置を、距離Ｌ３＋距離Ｌ４の範囲で変更可能である。本実施形態のコネクタ装置１５０Ｂでは、雄コネクタ１３０Ｂの雄端子１３２が固定されており、移動不可能であるため、距離Ｌ３＋距離Ｌ４は、第１実施形態における距離Ｌ１＋距離Ｌ２よりも短い。
【００３９】
＜本実施形態の変形例＞
本発明は上記の実施形態に限られるものではなく、その要旨を逸脱しない範囲において種々の態様において実施することが可能であり、例えば次のような変形も可能である。
【００４０】
・上記実施形態のコネクタ装置１５０では、雄コネクタ１３０の雄端子１３２が雄側スリット１３４Ｓに沿って移動可能に構成される例を示したが、上記形態に限定されず、コネクタ装置において、雄コネクタと雌コネクタとの相対位置を変更可能に構成すればよい。例えば、上記実施形態において、例えば、雌コネクタ１４０の雌側スリット１４４Ｓおよび雌端子１４７の幅を、雄端子１３２の幅と略同一にしてもよい。このようにしても、雄端子１３２が雄コネクタ１３０の雄側スリット１３４Ｓに沿って移動することができるため、雄コネクタと雌コネクタとの相対位置を、変更することができる。但し、上記実施形態のように、雄コネクタ１３０において、雄端子１３２が雄側スリット１３４Ｓに沿って移動可能に構成されるとともに、雌コネクタ１４０において、雌側スリット１４４Ｓおよび雌端子１４７の幅が雄端子１３２の幅より広く構成されると、雄コネクタと雌コネクタとの相対位置を変更可能な距離が、より長くなるため、好ましい。
【００４１】
・雄端子の平面形状は、上記実施形態に限定されない。但し、雄端子の平面形状を、略長方形、楕円形に形成すると、雄端子が雄側スリット１３４Ｓに沿って移動する際に、引っかかりにくく、滑らかに移動できるため、好ましい。ここで、略長方形は、長方形、角を丸み面とりした長方形、角を４５°面取りした長方形、小判型を含む。
【００４２】
・上記実施形態において、封止部１３８を備えなくても良い。但し、封止部１３８を備えると、雄側筐体１３４への浸水が抑制され、雄端子１３２および挟持部１３７の腐食が抑制されるため、好ましい。また、封止部を複数設ける構成にしてもよい。例えば、雄端子に対する雌端子の移動位置に対応して、雄コネクタと雌コネクタとの隙間を封止可能な位置に、複数の封止部を備える構成してもよい。
【００４３】
・上記実施形態において、雄コネクタ１３０が封止部１３８を備える構成を例示したが、雌コネクタ１４０が封止部１３８を備えてもよい。また、雄コネクタ１３０と雌コネクタ１４０の両者が封止部１３８を備える構成にしてもよい。
【００４４】
・挟持部１３７および雌端子１４７の幅は、上記実施形態に限定されない。挟持部１３７および雌端子１４７は、雄コネクタ１３０と雌コネクタ１４０との相対的位置が変更されても、電気的接続を確保できる程度の幅および位置に形成されればよい。
【００４５】
以上、実施形態、変形例に基づき本態様について説明してきたが、上記した態様の実施の形態は、本態様の理解を容易にするためのものであり、本態様を限定するものではない。本態様は、その趣旨並びに特許請求の範囲を逸脱することなく、変更、改良され得ると共に、本態様にはその等価物が含まれる。また、その技術的特徴が本明細書中に必須なものとして説明されていなければ、適宜、削除することができる。
【符号の説明】
【００４６】
１３０、１３０Ａ、１３０Ｂ…雄コネクタ
１３２、１３２Ａ…雄端子
１３４、１３４Ｂ…雄側筐体
１３４Ｆ…雄側接触面
１３４Ｓ…雄側スリット
１３３Ｓ…第１端
１３５Ｓ…第２端
１３７、１３７Ａ…挟持部
１３８…封止部
１４０…雌コネクタ
１４３Ｓ…第１端
１４４…雌側筐体
１４４Ｆ…雌側接触面
１４４Ｓ…雌側スリット
１４５Ｓ…第２端
１４７…雌端子
１５０、１５０Ｂ…コネクタ装置
【図１】
2020072034.tif 000003
【図２】
2020072034.tif 000004
【図３】
2020072034.tif 000005
【図４】
2020072034.tif 000006
【図５】
2020072034.tif 000007
【図６】
2020072034.tif 000008
【図７】
2020072034.tif 000009
【図８】
2020072034.tif 000010
【図９】
2020072034.tif 000011
【図１０】
2020072034.tif 000012